(57)【要約】  【課題】  転写塗膜具を筆入れなどに収納する時には、固定されているローラーや回転体が邪魔になり、ローラーや回転体を移動させ、収納し易くしたい場合がある。また、固定された状態のローラーや回転体のケースに対する位置如何によっては、不使用時におけるローラーや回転体へのごみの付着や、不慮の落下時における破損が懸念される。  【解決手段】  転写具ケースに、基材の表面に転写塗膜を備えた転写リボンを巻き付けた繰出コアと、その繰出コアから繰出された転写リボンを基材の裏面側から被転写面に押圧して、前記転写塗膜を被転写面に転写する転写ヘッドと、前記繰出しコアから引出され、前記転写ヘッド先端を経た基材を巻き取る巻取コアと、前記被転写面に接触可能な回転体を設けると共に、その回転体を転写具ケースに対して移動可能に取り付けた塗膜転写具。【選択図】  図４
2009132100.tif 000002
【特許請求の範囲】
【請求項１】
転写具ケースに、基材の表面に転写塗膜を備えた転写リボンを巻き付けた繰出コアと、その繰出コアから繰出された転写リボンを基材の裏面側から被転写面に押圧して、前記転写塗膜を被転写面に転写する転写ヘッドと、前記繰出しコアから引出され、前記転写ヘッド先端を経た基材を巻き取る巻取コアと、前記被転写面に接触可能な回転体を設けると共に、その回転体を転写具ケースに対して移動可能に取り付けたことを特徴とする塗膜転写具。
【請求項２】
前記塗膜転写具本体に、前記回転体を収納する収納部を設けたことを特徴とする請求項１記載の塗膜転写具。
【請求項３】
前記回転体の塗膜転写具本体に対する移動を複数の位置において係脱可能にしたことを特徴とする請求項１、或いは、請求項２に記載の塗膜転写具。
【発明の詳細な説明】
【技術分野】
【０００１】
本発明は、転写具ケースに、基材の表面に転写塗膜を備えた転写リボンを巻き付けた繰出コアと、その繰出コアから繰出された転写リボンを基材の裏面側から被転写面に押圧して、前記転写塗膜を被転写面に転写する転写ヘッドと、前記繰出しコアから引出され、前記転写ヘッド先端を経た基材を巻き取る巻取コアとを備えてなる塗膜転写具に関する。
【背景技術】
【０００２】
従来から、転写時に手指のぶれによる転写塗膜の被転写面に対する転写むらの発生を抑制することのできる塗膜転写具が知られている。例えば、実用登録３０１７２５２号公報、特開平１０−２３６０８１号公報に記載されたものである。
前記実用登録３０１７２５２号公報に記載された塗膜転写具は、繰出コアと巻取コアをベルトにて連結し、同一方向に回動するように転写具ケース本体内に沿って平行に設けると共に、転写リボンは転写具ケース本体の後方の繰出コアより、転写具ケース本体の先端に突設した転写ヘッドを介して巻取る巻取コアとから構成されている。更に、前記巻取コアには、逆戻り防止機構と前記転写ヘッドに接する辺の角部に回動可能なローラーが固定されており、前記転写ヘッド先端部とローラーの２点により適度な角度が維持され、適度な押圧力によって、転写塗膜を貼り付けることができるように構成されている。
【０００３】
また、特開平１０−２３６０８１号公報に記載された塗膜転写具は、転写リボンを巻き付ける繰出コアと、この繰出コアから繰出された転写リボンをテープの裏面側から紙等の被転写面に押圧して転写塗膜を被転写面に転写する転写ヘッドと、使用済みの転写リボンを巻取る巻取りコアとから構成されている。更に、前記繰出コアと転写ヘッドとの間には、塗膜転写時に被転写面と接触して回転する回転体が備えられており、前記転写ヘッドと回転体とは、転写具ケースに設けられた揺動連結手段を介して、シーソー揺動可能に固定されている。
【０００４】
【特許文献１】実用登録３０１７２５２号公報。
【特許文献２】特開平１０−２３６０８１号公報。
【発明の開示】
【発明が解決しようとする課題】
【０００５】
しかしながら、何れの従来技術においても、ローラーや回転体がケースに対して固定されているため、使い勝手の悪いものとなってしまっていた。
例えば、転写塗膜具を筆入れなどに収納する時には、固定されているローラーや回転体が邪魔になり、ローラーや回転体を移動させ、収納し易くしたい場合がある。
また、固定された状態のローラーや回転体のケースに対する位置如何によっては、不使用時におけるローラーや回転体へのごみの付着や、不慮の落下時における破損が懸念される。
さらに、転写部の視認性を向上させようとケースを比較的立てた状態で使用するユーザーにとっては、折角のローラーや回転体の作用が得られず、嫌な思いをしてしまうこともある。
【課題を解決するための手段】
【０００６】
本発明は、転写具ケースに、基材の表面に転写塗膜を備えた転写リボンを巻き付けた繰出コアと、その繰出コアから繰出された転写リボンを基材の裏面側から被転写面に押圧して、前記転写塗膜を被転写面に転写する転写ヘッドと、前記繰出しコアから引出され、前記転写ヘッド先端を経た基材を巻き取る巻取コアと、前記被転写面に接触可能な回転体を設けると共に、その回転体を転写具ケースに対して移動可能に取り付けたことを要旨とする。
【発明の効果】
【０００７】
本発明は、転写具ケースに、基材の表面に転写塗膜を備えた転写リボンを巻き付けた繰出コアと、その繰出コアから繰出された転写リボンを基材の裏面側から被転写面に押圧して、前記転写塗膜を被転写面に転写する転写ヘッドと、前記繰出しコアから引出され、前記転写ヘッド先端を経た基材を巻き取る巻取コアと、前記被転写面に接触可能な回転体を設けると共に、その回転体を転写具ケースに対して移動可能に取り付けているので、使い勝手の良い塗膜転写具を提供することができる。
そして、請求項２においては、回転体を収納することができるため、不使用時における回転体の汚れが防止されると共に、落下などによる破損を防止することができる。
また、請求項３においては、塗膜転写具の被転写面に対する傾き角度が調整できるため、視認性を向上させたり、安定的な操作を得たりすることができる。
【発明を実施するための最良の形態】
【０００８】
（実施例１）
図１、図２の図面に基づき第１実施形態の塗膜転写具の構成について説明する。転写具ケース７内のほぼ中央には、突出した回転軸７ａが立設されており、繰出コア４がその回転軸７ａに軸支されている。前記繰出コア４の側面には放射状にスリット５が形成されており、また、繰出コア４には転写リボン２が巻付けられている。
また、繰出コア４の前方には、その繰出コア４よりも小径な巻取コア３が転写具ケース７に対して回転可能に取付けられており、その巻取コア３の側面には、転写具ケース７の内部と係脱可能な係合部３ａが形成されている。更に、その巻取コア３の前方には転写ヘッド１が設けられている。その転写ヘッド１の前方部は転写具ケース７の開口部７ｂから突出した状態にあるが、後部は転写ケース７内において固定されている。尚、転写ヘッド１は、弾性変形が可能な材質を用いている。
前記転写リボン２は、繰出コア４から繰出され、転写ヘッド１を介して、巻取コア３により巻取られる。
【０００９】
前記転写具ケース７の側面であって、ほぼ中央付近には、回転軸５０が立設されており、その回転軸５０にはアーム部６の端部が回転自在に軸支している。それ故、アーム部６は回転軸５０を中心に回転可能になっている。そして、そのアーム部６の前記回転軸５０と係合している逆側の端部には、回転体８が回転可能となるように取付けてある。尚、アーム部６の長さは、転写具ケース７の１／２程度であり、回転体８の厚さは、転写具ケース７の厚さより大きく設定されている。また、前記回転体８は、樹脂成型品から構成されているが、その樹脂成型品の周りにゴム材質などからなる軟質弾性体を被覆しても良い。
また、前記転写具ケース７の側面には、前記アーム部６を段階的に固定させる凸部１１が複数、突出された状態で形成されている（１１ａ〜１１ｅ）が、アーム部６の弾性変形作用を利用して、前記の固定作用を解除することもできる。その隣り合う凸部１１の間に前記アーム部６が嵌まり固定される構成となっている。尚、アーム部６の厚さが、凸部１１の高さよりも低いと係脱し難いが固定力が強く、逆に、アーム部６の厚さが、凸部１１の高さよりも高いと、係脱し易くすることができる。
前記転写具ケース７の後方下端には収納部９が形成されており、前記回転体８が収納できるようになっている。尚、収納部９の下端部には収納蓋１０が開閉自在に取り付けられており、その収納蓋１０によって前記回転体８の汚れや、外部からの衝撃による破損防止効果がさらに向上するものとなっているが、必ずしも必要な構成ではない。
【００１０】
以上の構成が基本的な構成であるが、さらに具体的に説明する。前記転写具ケース７は、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂などの樹脂成型品となっている。また、転写具ケース７の厚さとしては、０．５ｍｍ〜２．０ｍｍの範囲が好ましい。ちなみに、２．０ｍｍを超えてしまうと、成形後にその成形品が冷えにくくなってしまい、厚みが０．５ｍｍ未満であると、強度が損なわれてしまう危険性がある。
前記転写リボン２は、基材としての合成樹脂の転写テープの表面に、文字修正用塗膜、装飾用着色塗膜、接着用粘着膜、蛍光塗膜等の接着性を有する転写塗膜を備えている。
その転写リボン２は繰出コア４に巻付けられており、その繰出コア４から繰出された転写リボン２を、前記転写ヘッド１によって転写テープの裏面側から紙等の被転写面１２に押圧して、転写塗膜を被転写面１２に転写するのである。また、その転写ヘッド１を通過した後の使用済みの転写リボン２（基材である転写テープ）は、巻取コア３によって巻取られる。尚、前記転写ヘッド１には、摺動性、耐久性、柔軟性を加味し、ポリアセタール樹脂、ポリプロピレン樹脂、金属（ステンレス、真鍮、ピアノ線等）等の素材を用いるのが好ましい。
前記繰出コア４や巻取コア３の材質としては、それらを歯車機構によって連結し回転を伝達するのであるならば、摺動性、耐久性のあるポリアセタール樹脂、ポリプロピレン樹脂、ポリブチレンテレフタレート、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂などの樹脂材料を用いるのが好ましい。
【００１１】
前記転写具ケース７には、アーム部６を介して回転体８が回転可能に取付けてある。即ち、本発明の塗膜転写具を使用する場合には、前記転写ヘッド１の先端部１ｂと回転体８の２点とで、被転写面１２に接触することになる。これにより、手指のぶれを抑制し、安定した転写作業を行うことができる。更に、転写具ケース７の下部後方には、回転体８を収納する収納部９と収納蓋１０が配設されており、不使用に塗膜転写具の不慮の落下時における回転体８の破損や汚れ等が防止されるようになっている。
前記転写ヘッド１の側部には、転写リボン２の幅方向の移動を規制する規制部材１ａが形成されている。具体的な形状としては、側面視でほぼ三角形状をなしており転写ヘッド１に一体成形されている。
前記繰出コア４には、スリット５が放射状に形成されている。これは塗膜転写作業による転写リボン２の残量を確認するための窓孔である。尚、前記繰出コア４と巻取コア３は、歯車同士の連結になっているが、弾性変形可能なベルトによって連結してあっても良い。本例においては繰出コア４と巻取コア３には、転写具ケース７の内壁に設けられた凸部（図１中、隠れているため図示されず）と係脱可能な係合部３ａが形成されており、それぞれの回転方向が一方向のみとなっている。つまり、いわゆるラチェット機構により逆回転が防止されているのである。また、転写リボン２の繰出コア４に対する巻付け径が巻取コア３よりも大きい時でも、繰出コア４からのリボン引出し速度よりも巻取コア３によるリボン巻取り速度が速くなるように設定されており、使用済みの転写リボン２を巻取コア３に確実に巻取ることができるようになっている。繰出コア４の歯車外径が、転写リボン２の繰出コア４に対する巻付け径よりも大きくしている構成がその一つ手段である。尚、転写リボン２の繰出し速度と、転写リボン２（転写テープ）の巻取り速度との速度差により、前記転写リボン２に過大な張力が作用した場合には、繰出コア４と、転写リボン２の繰出コア４に対する巻付け軸芯７ｃがスリップすることにより、歯車同士の動力伝達作用が解除され、転写リボンの繰出し速度と巻取り速度との差が断続的に吸収される。
【００１２】
上記したように、前記回転体８は、アーム部６と連結されており、そのアーム部６の他端部は転写具ケース７と連結されているが、その連結箇所は、前記繰出コア４と巻取コア３の中間部に位置している。その連結部は、転写具ケース７に一体形成した回転軸５０となっているが、その回転軸５０をアーム部６に形成しても良い。アーム部６は、回転軸５０を中心として回転し、そのアーム部６の他端部に連結された回転体８もアーム部６の回転に伴って揺動移動する。その揺動動作においては、転写具ケース７の外部に設けた複数の隣り合う凸部１１の間にアーム部６が嵌まり込み固定される構成となっている。つまり、アーム部６の固定位置を変更させることで、回転体８は転写具ケース７の下部の前方から後方に駆けて移動が可能となっている。これにより、使用時においては、転写ヘッド１の先端と回転体８との２点で被転写面１２に接触することになり、その結果、手指のぶれを抑制し、安定した転写作業が得られるようになる。また、回転体８の位置如何によっては、例えば、アーム部６を１１ｄと１１ｅとの間で固定し、転写具ケース７の下部後方に位置させた場合には、使用時における塗膜転写具本体を被斜面に接近させることができ、これによって転写の安定性が極めて向上することになる（図４参照）。一方、アーム部６を１１ａと１１ｂとの間で固定し、転写具ケース７の下部前方に位置させた場合には、転写時における塗膜転写具本体の後端部と被転写面１２との距離を長く設定することができ、これにより、転写部の視認性が向上される（図５参照）。
【００１３】
（実施例２）
図５の図面に基づき第２実施形態の塗膜転写具の構成について説明する。この第２実施形態の内部構造は、前記第１実施形態と同じものなので省略する。本例の特徴点は、転写具ケース１８外部の構成にある。転写ケース１８の上部縁部近傍には、円弧状の長孔１４ａが形成されており、その長孔１４ａにはさらに縁部の方向に向けて溝部１４が形状されている。また、前記長孔１４ａには、アーム部１６の一端部が軸支されており、そのアーム部１６の他端部には、回転体１７が回転自在に軸支されている。そのアーム部１６の端部には、連結部材１５が連結している。尚、前記長孔１４ａや溝部１４は、転写具ケース１８の両側面形成されており、アーム部１６や回転体１７も転写具ケース１８の外部に位置している。前記連結部材１５とアーム部１６の連結部分の内側には、凸部１５ａが形成されており、その凸部１５ａが前記長孔１４ａや溝部１４内を自由に移動できるようになっている。尚、前記アーム部１６と回転体１７とを合わせた高さは、転写具ケース１８の最大高さよりも低く設定している。連結部材１５を溝部１４の最後方まで移動させた時に、回転体１７が転写具ケース１８の下端面から突出しないようにしているのである。回転体１７並びに、アーム部１６を連結した連結部材１５は、円弧状の長孔１４ａに形成された４箇所の溝部１４に各々固定が可能であり、また、連結部１５を長孔１４ａに位置させることによって前記の固定解除をなすことができる。
【００１４】
以上の構成が基本的な構成であるが、さらに具体的に説明する。転写具ケース１８の外部両側面に溝部１４を設け、その溝部１４に連結部材１５の凸部１５ａを軸支することによって、アーム部１６を移動可能にすると共に、回転体１７を滑り台式に移動可能としている。回転体１７は、前述したように転写具ケース１８の外部に配置されている。それ故に、転写具ケース１８の上部に位置する連結部材１５のみを移動させることで、回転体１７が転写具ケース１８の底部より下に移動する（図７参照）。また、連結部材１５を転写具ケース１８の上部より露出させているため、両手を使用することなく、連結部材１５を片手のみで操作・移動させることができ、回転体１７の出し入れが可能となる。よって、操作性が非常に易しいものとなっている。
本実施例における回転体１７の固定箇所は４箇所である。その４箇所の溝部１４の何れか１つに連結部材１５の凸部１５ａを噛合わせることで固定される。例えば、前記溝部１４の４箇所の内、転写ヘッド１３に近い３つの溝部１４に連結部材１５を固定させた場合には、転写ヘッド１３と回転体１７の２点で被転写面と接触することになり、安定した転写作業が得られる。また、転写ヘッド１から最も遠い位置の溝部１４に連結部材１５を固定させた場合には、不使用状態における回転体１８の破損などが防止される。尚、使用時、仮に強い押圧力（転写力）を掛けて転写作業を行ったとしても、連結部材１５の凸部１５ａが溝部１４に食い込む方向にあり、凸部１５ａが溝部１４から離脱し、円弧状の長孔１４ａに入ってしまうことを防止している為、その結果、回転体１７が被転写面から離間することがない。
【００１５】
（実施例３）
図８〜１０の図面に基づき第３実施形態の塗膜転写具の構成について説明する。第３実施形態は、前記第１の実施形態と同様に、転写リボン２８の繰出しと巻取りの機構が同じであるので省略するが、その配置や回転体２６の移動方法が異なる。転写具ケース２４内の中央より若干後方には、回転軸２４ａが立設されており、繰出コア２３がその回転軸２４ａに軸支している。また、巻取コア２１は、繰出コア２３の前方であって、かつ、転写具ケース２４の中央より若干前方に配設されており、転写具ケース２４に対して回転可能に取付けられている。また、その巻取コア２１の前方には転写ヘッド２０が、前記転写ケース２４から突出した状態で配置されている。
さらに、転写具ケース２４の内側には、固定凸部２５が形成されているが、その固定凸部２５は前記巻取コア２１の中心と転写具ケース２４の下端部とのほぼ中央部間に位置している。そして、その固定凸部２５には、アーム部２２が係脱可能に装着している。
そのアーム部２２の端部には、回転体２６が連結部５１によって回転自在に取り付けられている。また、アーム部２２には、長孔５２が形成されており、その長孔５２には前記固定凸部２５が嵌り込んでいる。即ち、アーム部２２は、固定凸部２５に対してスライド移動が可能で有ると共に、長孔５２に形成されている凹凸２２ａに前記固定凸部２５が係合することによって、固定が可能なものとなっている。つまり、アーム部２２に取り付けられている回転体２６を固定させる際は、転写具ケース２４と一体に構成されている固定凸部材２５を長穴５２の凹凸２２ａに係合させて固定させる。符号２７は、回転体２６とアーム部２２が転写ケース２４から出没するための収納口である。その収納口２７は、転写具ケース２４の前方下端部に形成されている。
【００１６】
前記アーム部２２の長さは、転写具ケース２４の１／２以下となっており、転写具ケース２４の内部に回転体２６と共に収納されるようになっている。また、転写具ケース２４の外部であって、前記アーム部２２と対応する位置には、横長の形状をしたスライドボタン２９が配設されている。そのスライドボタン２９は、アーム部２２と連結して取付けられており、スライドボタン２９を動作させることで、アーム部２２と回転体２６も動作させることができる。つまり、スライドボタン２９によって、回転体２６の転写具ケース２４からの出没長さを調整することができる。
【００１７】
以上の構成が基本的な構成であるが、さらに具体的に説明する。転写具ケース２４の内部には、繰出コア２３や転写ヘッド２０、巻取コア２１、転写リボン２８、固定凸部材２５、アーム部２２、回転体２６が配置されており、一方、転写具ケース２４の外部には、スライドボタン２９が配置されている。尚、前記繰出コア２３と巻取コア２１の回動方法は前記実施形態１に記述したものと同様の構成である。
前記アーム部２２に取り付けられた回転体２６は、収納口２７から転写具ケース２４の内部と外部を移動することが可能となっている。前記アーム部２２には、使用時に回転体２６を特定の位置に固定させる為の凹凸２２ａが形成された長孔５２が形成されている。アーム部２２、即ち、回転体２６を固定させる際は、転写具ケース２４と一体に構成されている固定凸部材２５にアーム部２２の凹凸２２ａを係合させる。この係合させる位置によって収納口２７からの回転体２６の突出長さを調整する。また、前記第２実施例と同様に、スライドボタン２９を片手のみで移動させることができ、容易に回転体２６の突出長さを調整することができる。更に、回転体２６の収納場所を転写具ケース２４内にすることによって、転写具ケース２４の形に関わらず収納が可能となる。使用（転写作業）の際は、塗膜転写具を図１０に示すような形態（非収納状態）にし、被転写面３０に転写を行う。
【００１８】
（実施例４）
図１１〜１３の図面に基づき第４実施形態の塗膜転写具の構成について説明する。第４実施形態は、前記第１の実施形態と同様に、転写リボン３３の繰出しと巻取りの機構が同じであるので省略するが、その配置や回転体３９の移動方法が異なる。転写具ケース３５内の後方の上部には、突出した回転軸３５ａが立設されており、その回転軸３５ａには繰出コア３４が軸支されている。また、その繰出コア３４の前方には巻取コア３２が配置されているが、その巻取コア３２は転写具ケース３５の中央より前方に、かつ、転写ケース３５に対して回転自在に配設されている。また、その巻取コア３２の前方には転写ヘッド３１が配置されている。
前記転写具ケース３５内の中央から下端部にかけては、回転体３９とほぼ同じ厚さの板５５が張り合わされように配置されている。
アーム回転軸４１は、転写具ケース３５の転写ヘッド３１の近傍であって、斜め下の後方に配置しており、前記板５５と連結されている。前記アーム回転軸４１は、板５５の他に短いアーム部５３とも連結しており、その短いアーム部５３の他方の端部には、回転体３９と長いアーム部５４とが連結されている。勿論、その回転体３９は回転可能に取付けられている。
前記長いアーム部５４の他方の端部は、移動部材３７と連結している。そして、前記板５５には、巻取コア３２の下方から、転写具ケース３５の中央部下方にかけて、移動部材３７が移動可能となるような凸凹部３６ａが形成された長孔３６が形成されている。その移動部材３７には、スライドボタン４２が連結されており、そのスライドボタン４２は、転写具ケース３５の外部に、長孔３６とほぼ同位置に配設されている。それ故に、スライドボタン４２を操作することで、回転体３９はアーム回転軸４１を中心として、短いアーム部５３、長いアーム部５４、移動部材３７と一体となって揺動する。
また、転写具ケース３５の巻取コア３２よりやや前方の下端部には、収納口４０が設けてあり、スライドボタン４２を操作することで、収納口４０より回転体３５を突出させることが可能となっている。尚、移動部材３７、即ち、回転体３９を固定させる際には、スライドボタン４２を操作して、移動部材３７を長孔３６の凹凸部３６ａに係合させる。
本例においても、前記実施例と同様に、スライドボタン４２を片手のみで移動させることができるので、簡単な操作で回転体３９の突出長さを調整することができる。また、使用（転写作業）の際は、塗膜転写具を図１３に示すような形態（非収納状態）にし、被転写面４３に転写を行う。
【図面の簡単な説明】
【００１９】
【図１】本発明の第１実施例を示す内部構造図。
【図２】転写ヘッドを示す外観斜視図。
【図３】図１の外観図。
【図４】使用状態を示す外観図。
【図５】使用状態を示す外観図。
【図６】本発明の第２実施例を示す外観図。
【図７】使用状態を示す外観図。
【図８】使用状態を示す外観図。
【図９】本発明の第３実施例を示す内部構造図。
【図１０】使用状態を示す内部構造図。
【図１１】使用状態を示す外観図。
【図１２】本発明の第３実施例を示す内部構造図。
【図１３】使用状態を示す内部構造図。
【図１４】使用状態を示す外観図。
【符号の説明】
【００２０】
１  転写ヘッド
２  転写リボン
３  巻取コア
４  繰出コア
５  スリット
６  アーム部
７  転写ケース
８  回転体
９  収納部
１０  収納蓋
１１  凸部
１２  被転写面
１３  転写ヘッド
１４  溝部
１５  連結部材
１６  アーム部
１７  回転体
１８  転写ケース
１９  被転写面
２０  転写ヘッド
２１  巻取コア
２２  アーム部
２３  繰出コア
２４  転写具ケース
２５  固定凸部
２６  回転体
２７  収納口
２８  転写リボン
２９  スライドボタン
３０  被転写面
３１  転写ヘッド
３２  巻取コア
３３  転写リボン
３４  繰出コア
３５  転写具ケース
３６  長孔
３７  移動部材
３９  回転体
４０  収納口
４１  アーム回転軸
４２  スライドボタン
４３  被転写面
５０  回転軸
５１  連結部
５２  長孔
５３  短いアーム部
５４  長いアーム部
５５  板
【図１】
2009132100.tif 000003
【図２】
2009132100.tif 000004
【図３】
2009132100.tif 000005
【図４】
2009132100.tif 000006
【図５】
2009132100.tif 000007
【図６】
2009132100.tif 000008
【図７】
2009132100.tif 000009
【図８】
2009132100.tif 000010
【図９】
2009132100.tif 000011
【図１０】
2009132100.tif 000012
【図１１】
2009132100.tif 000013
【図１２】
2009132100.tif 000014
【図１３】
2009132100.tif 000015
【図１４】
2009132100.tif 000016